(57)【要約】【課題】  ヒートポンプのエネルギー消費効率が向上した床下暖房装置を提供すること。【解決手段】  ヒートポンプ５は屋外に設置され、このヒートポンプ５により加熱された温水が、循環路６によって、先ず居間２の床下空間２ａに設置された放熱器２ｂに送られて床下空間２ａを温め、熱媒温度が所定の設定温度より低下した段階で、続いてキッチン３の床下空間３ａに設置された放熱器３ｂと廊下の床下空間４ａに敷設された放熱器４ｂとに送られてヒートポンプ５に戻って循環するようにする。【選択図】  図１
2005188823.tif 000002
【特許請求の範囲】
【請求項１】
ヒートポンプにより加熱された熱媒が、建物の床下空間に設置された複数の放熱器を直列的に通ってヒートポンプに戻る循環路を備えたことを特徴とする床下暖房装置。
【請求項２】
前記複数の放熱器のうち、ヒートポンプにより加熱された熱媒は、先ず居室の床下空間に設置されている放熱器に送られ、その後、廊下等の非居室の床下空間に設置されている他の放熱器に送られようにされていることを特徴とする請求項１記載の床下暖房装置。
【請求項３】
請求項１又は２記載の床下暖房装置が設けられていることを特徴とする建物。
【請求項４】
請求項３記載の建物であって、複数の放熱器は、それぞれ別室の床下空間に設置され、それぞれの床下空間は仕切られていて別空間とされていることを特徴とする建物。
【発明の詳細な説明】
【技術分野】
【０００１】
この発明は、床下暖房装置、及びこの床下暖房装置を備えた建物に関する。
【背景技術】
【０００２】
ヒートポンプ等の熱源からの熱を床下空間へ供給し、快適な居住性を実現する技術がある（特許文献１参照）。
【０００３】
【特許文献１】特開２００１−３２３５６２号公報
【発明の開示】
【発明が解決しようとする課題】
【０００４】
しかし、上記特許文献１記載のような従来の床下暖房装置は、居室の床暖房を対象としているが、温水の戻り水温の低下が小さい。そのため、ヒートポンプは、エネルギー消費効率の悪い運転となっていた。
【０００５】
この発明の課題は、機器側の制御は代えないで、ヒートポンプのエネルギー消費効率が向上した床下暖房装置、及びその床下暖房装置を備えた建物を提供することにある。
【課題を解決するための手段】
【０００６】
請求項１記載の発明の床下暖房装置は、ヒートポンプにより加熱された熱媒が、建物の床下空間に設置された複数の放熱器を直列的に通ってヒートポンプに戻る循環路を備えたことを特徴とする。
【０００７】
請求項２記載の発明の床下暖房装置は、請求項１記載の床下暖房装置において、前記複数の放熱器のうち、ヒートポンプにより加熱された熱媒は、先ず居室の床下空間に設置されている放熱器に送られ、その後、廊下等の非居室の床下空間に設置されている他の放熱器に送られようにされていることを特徴とする。
【０００８】
請求項３記載の発明の建物は、請求項１又は２記載の床下暖房装置が設けられていることを特徴とする。
【０００９】
請求項４記載の発明の建物は、請求項３記載の建物であって、複数の放熱器は、それぞれ別室の床下空間に設置され、それぞれの床下空間は仕切られていて別空間とされていることを特徴とする。
【発明の効果】
【００１０】
請求項１記載のこの発明の床下暖房装置によると、ヒートポンプにより加熱された熱媒が、建物の床下空間に設置された複数の放熱器を直列的に通ってヒートポンプに戻る循環路を備えているので、熱媒は、最初の放熱器に流入して熱媒温度が低下して、次の放熱器に流入して熱媒温度が更に低下するなど、順次熱媒温度が低下した後、ヒートポンプに戻るので、ヒートポンプへ戻った時点で、熱媒の戻り温度の低下幅が大きくなり、ヒートポンプのＣＯＰ（エネルギー消費効率）が向上する。
この際、ＣＯＰ向上のため、従来技術のように、インバータ制御機器を設けなくてもよいので、ヒートポンプ機器側の制御を複雑にしないで済む。
【００１１】
請求項２記載の床下暖房装置によると、さらに、複数の放熱器のうち、ヒートポンプにより加熱された熱媒は、先ず居室の床下空間に設置されている放熱器に送られ、その後、廊下等の非居室の床下空間に設置されている他の放熱器に送られようにされているので、居室暖房の余熱を使って、非居室である廊下等の比較的暖房熱源が少なくて済む空間をほのかに温めることができる。
このため、居室と廊下等の非居室の温度差は小さくなり、居室から廊下等の非居室に出るときのヒートショックを防止できる。
【００１２】
請求項３記載の建物は、請求項１又は２記載の床下暖房装置が設けられているので、上記請求項１又は２記載の発明と同様の作用効果を奏する。
【００１３】
請求項４記載の建物は、複数の放熱器は、それぞれ別室の床下空間に設置され、それぞれの床下空間は仕切られていて別空間とされているので、それぞれの部屋は、その床下空間に設置された放熱器によって暖房される。
【発明を実施するための最良の形態】
【００１４】
この発明を実施するための最良の形態を図面を参照して説明する。
【００１５】
（実施の形態１）
図１は、この発明の実施の形態であり、床下暖房装置を模式的に示す建物の床下空間部の平面視断面図である。図２は、図１のイ−イ線の断面図である。
【００１６】
本実施の形態の建物は、例えば、工場生産された複数の建物ユニットが施工現場に搬送され、布基礎１の上に据えつけられて構築されている。
この建物は、内部の一方側に居室である居間２があり、建物内の他方側にキッチン３と非居室である廊下（図示省略）がある。居間２の床下空間２ａには放熱器２ｂが設置され、キッチンの３の床下空間３ａには放熱器３ｂが設置され、廊下の床下空間４ａには放熱器４ｂが設置されている。
【００１７】
なお、居間２の床下空間２ａとキッチン３の床下空間３ａとは仕切り壁１１によって仕切られ、キッチン３の床下空間３ａと廊下の床下空間４ａも別の仕切り壁１１によって仕切られている。
【００１８】
そして、それぞれの床下空間２ａ、３ａ、４ａは、床下地盤に敷設した、防湿と断熱を兼ねた土間コンクリート１２と、布基礎１の内周面、仕切り壁１１の側面に貼着された発泡ポリスチレンシートなどの断熱材１３によって外気と遮蔽され、温められた床下空間の空気が外気に逃げないようにされている。
【００１９】
ヒートポンプ５は屋外に設置され、このヒートポンプ５により加熱された温水が、循環路６によって、先ず居間２の床下空間２ａに設置された放熱器２ｂに送られ、熱媒温度が所定の設定温度より低下した段階で、続いてキッチン３の床下空間３ａに設置された放熱器３ｂと廊下の床下空間４ａに敷設された放熱器４ｂとに送られてヒートポンプ５に戻って循環するようにされている。
【００２０】
具体的には、先ず、ヒートポンプ５により６０℃に加熱された温水は、循環路６を経て居間２の床下空間２ａに設置された放熱器２ｂに送られ、放熱器２ｂから放熱され、居間２の床下空間２ｂを温めることによって居室２が暖房される。
【００２１】
その後、温水温度が、所定の設定温度である５０℃より低下した段階で、温水は、循環路６を経てキッチン３の床下空間３ａに設置された放熱器３ｂに送られ、放熱器３ｂから放熱され、キッチン３の床下空間３ｂを温めることによってキッチン３がほのかに暖房される。続いて、廊下の床下空間４ａに設置した放熱器４ｂに送られ、廊下の床下空間４ａを温めることによって廊下がほのかに暖房される。
そして、温水温度が２０℃以下に低下すると、温水は放熱器４ｂから戻り循環路６を通ってヒートポンプ５に戻るように制御されている。
【００２２】
（実施の形態の作用）
本実施の形態の床下暖房装置と、これを設けた建物によると、居間２の床下空間２ａに設置された放熱器２ｂでの温水温度が所定の設定温度５０℃より低下した段階で、温水はキッチン３の床下空間３ａに設置された放熱器３ｂと、廊下の床下空間４ａに設置した放熱器４ｂに流入して循環し、温水温度が２０℃以下に低下した後、ヒートポンプ５に戻るようになされているので、ヒートポンプ５へ戻った時点で、温水の戻り温度の低下幅は、６０℃−２０℃＝４０℃と大きくなり、ヒートポンプのＣＯＰ（エネルギー消費効率）が向上する。
この際、ＣＯＰ向上のため、インバータ制御機器を設けなくてもよいので、ヒートポンプ機器側の制御を複雑にしないですむ。
【００２３】
さらに、放熱器２ｂは、居間２の床下空間２ａに敷設され、放熱器３ｂは、キッチン３の床下３ａに敷設され、放熱器４ｂは、非居室である廊下の床下空間４ａに設置されているから、居間２の床下暖房の余熱を使ってキッチン３と廊下をほのかに温めることができる。
このため、居室２とキッチン３と廊下の温度差は小さくなり、居間２からキッチン３や非居室である廊下に出るときのヒートショックを防止できる。
【００２４】
以上、この発明の一実施の形態を図面により詳述したが、この発明の具体的な構成はこの実施の形態に限られるものではなく、この発明の要旨を逸脱しない範囲の設計の変更等があってもこの発明に含まれる。
例えば、複数の居室の床下空間にそれぞれ放熱器を設置し、これらの放熱器にヒートポンプからの熱媒を送り、続いて非居室の床下空間に設置した放熱器に送るようにしてもよい。
また、この床下暖房装置には、他の空調手段の併用をしてもよいのは勿論である。
【産業上の利用可能性】
【００２５】
この発明によれば、機器側の制御は換えないで、ヒートポンプのエネルギー消費効率が向上した床下暖房装置を提供することができ、建物内を効率的に暖房できる。
【図面の簡単な説明】
【００２６】
【図１】この発明の一実施の形態であり、床下暖房装置を模式的に示す建物の床下空間部の横断面図である。
【図２】図１のイ−イの断面図である。
【符号の説明】
【００２７】
１      布基礎
２      居間（居室）
２ａ    居間の床下空間
２ｂ    放熱器
３      キッチン
３ａ    キッチンの床下空間
３ｂ    放熱器
４ａ    廊下（非居室）の床下空間
４ｂ    放熱器
５      ヒートポンプ
６      循環路
１１    仕切り壁
１２    土間コンクリート
１３    断熱材
【図１】
2005188823.tif 000003
【図２】
2005188823.tif 000004